(57)【要約】【課題】着用者の動作を制限することなく銃撃や刃物による攻撃等から着用者を防護することが可能であるとともに、重量物を含む装備を身に着けている場合等に水中に落下した際においても十分な浮力を確保することが可能な救命胴衣を提供する。【解決手段】外装材２の内部に浮力材３を収納する収納部４を備え、この収納部４に、浮力材３と略同一形状に形成された防護材５を収納可能とする。外装材２の一部に、膨張装置１８により膨張する浮力袋１７を取り付けるとともに、この浮力袋１７を収納し、浮力袋１７が膨張することにより開放されて浮力袋１７を放出する構造を備える浮力袋収納部１９を設ける。【選択図】　　　図１
2004042816.tif 000002
【特許請求の範囲】
【請求項１】
外装材の内部に浮力材を収納する収納部を備えた救命胴衣であって、前記収納部に、前記浮力材と略同一形状に形成された防護材を収納可能としたことを特徴とする救命胴衣。
【請求項２】
着用者の胸部を覆う前身頃部と背部を覆う後身頃部とを備えた外装材の前記前身頃部及び前記後身頃部のそれぞれの内部に、浮力材を収納する前身頃収納部及び後身頃収納部を備えた救命胴衣であって、前記前身頃収納部には、そこに収納された前身頃浮力材と略同一形状に形成された前身頃防護材を収納可能とし、前記後身頃収納部には、そこに収納された後身頃浮力材と略同一形状に形成された後身頃防護材を収納可能としたことを特徴とする救命胴衣。
【請求項３】
前記外装材の一部に、膨張装置により膨張する浮力袋を取り付けるとともに、この浮力袋を収納し、前記浮力袋が膨張することにより開放されて前記浮力袋を放出する構造を備える浮力袋収納部を設けたことを特徴とする請求項１又は２記載の救命胴衣。
【請求項４】
前記外装材の表面の少なくとも一部に、重量物を含む装備を取り付けるための装備取付部を設けたことを特徴とする請求項１から３のいずれか１項に記載の救命胴衣。
【請求項５】
前記外装材の前身頃部の側部の一方又は双方に着脱可能な補強材を取り付けたことを特徴とする請求項１から４のいずれか１項に記載の救命胴衣。
【発明の詳細な説明】
【０００１】
【発明の属する技術分野】
本発明は、銃弾や刃物等の貫通を防止して着用者を防護する機能を備え、海上や沿岸の保安・警備等における使用に適した救命胴衣に関する。
【０００２】
【従来の技術】
海上や沿岸の保安・警備等の任務においては、不意に銃砲等による攻撃を受ける等の危険が想定される。特に、近年は、我が国の沿岸にも不審船が出没する事態が増加しており、そのような不審船との間で銃撃戦が行われる場合も想定される。また、海上における犯罪捜査等においては、不意に銃撃や刃物による攻撃を受ける危険が高い。また、海上における保安・警備等においては、水中に転落する危険もある。そこで、従来は、このような海上や沿岸の保安・警備等の任務を行う者は、防弾チョッキと救命胴衣の両方を着用することが行われていた。
【０００３】
【発明が解決しようとする課題】
しかしながら、防弾チョッキと救命胴衣を両方着用する場合には、防弾チョッキの上に救命胴衣を着用することとなり、非常に嵩高くなって着用者の動作が制限され、任務の遂行に支障が生じる場合があるという問題があった。
【０００４】
また、防弾チョッキ自体は相当の重量を有しているため、救命胴衣を着用している場合であっても、着用者が水中に落下した際には瞬間的に水深の深い所まで沈んでしまう場合がある。特に、保安・警備等の任務においては、無線装置や銃器等の重量物を含む装備を身に着ける必要があるため、水中に落下した際に水深の非常に深い所まで沈んでしまう危険性がある。ところが、救命胴衣は、一般的に水面上での浮力確保を目的としているので、水深の深い所にまで沈んだ場合には、水圧により浮力材の容積が減少して必要な浮力を確保できなくなる可能性がある。
【０００５】
本発明は、上記課題に鑑みてなされたものであり、着用者の動作を制限することなく銃撃や刃物による攻撃等から着用者を防護することが可能であるとともに、重量物を含む装備を身に着けている場合等に水中に落下した際においても十分な浮力を確保することが可能な救命胴衣を提供することを技術課題とするものである。
【０００６】
【課題を解決するための手段】
上記技術課題を解決するための具体的手段は、次のようなものである。すなわち、請求項１に記載する救命胴衣は、外装材の内部に浮力材を収納する収納部を備え、前記収納部に、前記浮力材と略同一形状に形成された防護材を収納可能としたことを特徴とするものである。
【０００７】
請求項２に記載する救命胴衣は、着用者の胸部を覆う前身頃部と背部を覆う後身頃部とを備えた外装材の前記前身頃部及び前記後身頃部のそれぞれの内部に、浮力材を収納する前身頃収納部及び後身頃収納部を備え、前記前身頃収納部には、そこに収納された前身頃浮力材と略同一形状に形成された前身頃防護材を収納可能とし、前記後身頃収納部には、そこに収納された後身頃浮力材と略同一形状に形成された後身頃防護材を収納可能としたことを特徴とするものである。
【０００８】
請求項３に記載する救命胴衣は、請求項１又は２に記載する構成において、前記外装材の一部に、膨張装置により膨張する浮力袋を取り付けるとともに、この浮力袋を収納し、前記浮力袋が膨張することにより開放されて前記浮力袋を放出する構造を備える浮力袋収納部を設けたことを特徴とするものである。
【０００９】
請求項４に記載する救命胴衣は、請求項１から３のいずれか１項に記載する構成において、前記外装材の表面の少なくとも一部に、重量物を含む装備を取り付けるための装備取付部を設けたことを特徴とするものである。
【００１０】
請求項５に記載する救命胴衣は、請求項１から４のいずれか１項に記載する構成において、前記外装材の前身頃部の側部の一方又は双方に着脱可能な補強材を取り付けたことを特徴とするものである。
【００１１】
【発明の実施の形態】
以下、本発明の実施形態に係る救命胴衣１について図面に基づいて説明する。図１は、本発明の実施形態に係る救命胴衣１の縦断面を示す図である。この図に示すように、本発明の実施形態に係る救命胴衣１は、外装材２の内部に浮力材３を収納する収納部４を備え、この収納部４に、浮力材３と略同一形状に形成された防護材５を収納可能としたものである。以下、更に詳細に説明する。
【００１２】
図２は、本実施形態に係る救命胴衣１を前身頃部６の側から見た状態を示す正面図であり、図３は、本実施形態に係る救命胴衣１を後身頃部７の側から見た状態を示す背面図である。また、図４は、本実施形態に係る救命胴衣１の前身頃部６の裏面を示す展開図であり、図５は、本実施形態に係る救命胴衣１の後身頃部７の裏面を示す展開図である。これらの図に示すように、本実施形態に係る救命胴衣１は、いわゆる「ベスト」型に形成されており、その外装材２は、着用者の胸部を覆う前身頃部６と背部を覆う後身頃部７の２つの大きな部分から構成されている。
【００１３】
そして、このような外装材２の前身頃部６と後身頃部７の上端部を互いに結合して着用者の両肩部に掛けられる部分には、肩紐部８が設けられている。この肩紐部８は、帯状に形成されており、前身頃部６及び後身頃部７のそれぞれの両側上端部と連続して設けられている。そして、ここでは、着用者の両肩部において結合するためのバックル等を備えており、着用者の体格に合わせて長さ調節可能に結合されている。また、外装材２の前身頃部６と後身頃部７の側部１０を互いに結合して着用者の側腹部を覆う部分には、結合部９が設けられている。この結合部９は、帯状に形成されており、前身頃部６及び後身頃部７の両側部１０と連続して設けられている。そして、ここでは、着用者の側腹部において結合するための面ファスナー１１（図４及び図５参照）やジッパー（図示せず）等を備えており、着用者の体格に合わせて長さ調節可能に結合されている。なお、本発明の実施形態の説明においては、他の部分にも面ファスナーが用いられているが、ここで、面ファスナーとは、マジックテープ（Ｒ）等のように無数のフックとループをかみ合わせることにより任意の位置で着脱可能な布製のテープ等のことである。
【００１４】
また、外装材２の前身頃部６及び後身頃部７は、共に、表面材１２と裏面材１３とを有して構成されている。ここで、表面材１２は、外装材２の前身頃部６及び後身頃部７の表面を構成する布地であって、見栄えが良く丈夫な厚手の合成繊維材の布地等により構成されている。一方裏面材１３は、外装材２の前身頃部６及び後身頃部７の表面を構成する布地であって、通気性を確保して着用者の肌に貼り付くことを防止するために合成繊維材の網目状の布地等により構成されている。
【００１５】
そして、図１に示すように、このような外装材２の前身頃部６及び後身頃部７の内部には、前身頃部６の表面材１２ａと裏面材１３ａの間の空間により前身頃収納部４ａが形成されており、後身頃部７の表面材１２ｂと裏面材１３ｂの間の空間により後身頃収納部４ｂが形成されている。したがって、前身頃収納部４ａの平面形状は外装材２の前身頃部６の平面形状と略同一となり、後身頃収納部４ｂの平面形状は外装材２の後身頃部７の平面形状と略同一となる。そして、このように形成された前身頃収納部４ａ及び後身頃収納部４ｂに、それぞれ浮力材３及びそれと略同一形状に形成された防護材５が収納される。また、図１、図４及び図５に示すように、前身頃部６の裏面材１３ａ及び後身頃部７の裏面材１３ｂには、浮力材３及び防護材５を前身頃収納部４ａ及び後身頃収納部４ｂに対して出し入れするための裏面開口部１４がそれぞれ形成されている。本実施形態では、この裏面開口部１４は、前身頃部６の裏面材１３ａ及び後身頃部７の裏面材１３ｂを、所定の位置において横方向の直線状に切断して開口部を形成するとともに、この開口部においてその上下の裏面材１３を一定幅で重ね合わせ、その重なっている部分に面ファスナー等を設けて着脱可能に開口部を結合した構成としている。
【００１６】
このような前身頃収納部４ａ及び後身頃収納部４ｂには、図１、図４及び図５に示すように、浮力材３と防護材５がそれぞれ収納される。本実施形態においては、前身頃収納部４ａに収納される浮力材３及び防護材５をそれぞれ前身頃浮力材３ａ及び前身頃防護材５ａとし、後身頃収納部４ｂに収納される浮力材３及び防護材５をそれぞれ後身頃浮力材３ｂ及び後身頃防護材５ｂとする。ここで、図１においては、比較的弾力性の高い浮力材３を前身頃収納部４ａ及び後身頃収納部４ｂの裏面側、すなわち着用者の体に近い側に収納し、防護材５を前身頃収納部４ａ及び後身頃収納部４ｂの表面側に収納することとしているが、これら前身頃収納部４ａ及び後身頃収納部４ｂの内部における浮力材３と防護材５の位置関係はこれに限定されるものではなく、任意の位置関係で収納することが可能である。
【００１７】
浮力材３は、救命胴衣１の浮力を確保するために外装材２の内部に収納される部材であって、軽量で弾性を有する材料、例えば、ポリエチレンフォーム、ポリ塩化ビニルフォーム、ポリウレタンフォーム等の合成樹脂発泡材等により形成される。このような前身頃浮力材３ａ及び後身頃浮力材３ｂの形状としては、それぞれ前身頃収納部４ａ及び後身頃収納部４ｂに好適に収納することができ、なおかつ前身頃収納部４ａ又は後身頃収納部４ｂの内部において位置がずれることがないようにするため、それぞれ前身頃収納部４ａ又は後身頃収納部４ｂの平面形状と略同一の平面形状であって、それより一回り小さい大きさに形成すると好適である。
【００１８】
そして、これらの前身頃浮力材３ａ及び後身頃浮力材３ｂは、それぞれ複数枚を組み合わせて用いることにより、救命胴衣１として着用者の体重に応じた浮力を得られるように調節可能としている。なお、図面においては前身頃浮力材３ａ及び後身頃浮力材３ｂの双方共に３枚ずつ組み合わせて用いているが、使用する浮力材３の枚数はこれに限定されないことは言うまでもない。また、これらの前身頃浮力材３ａ及び後身頃浮力材３ｂは、前身頃収納部４ａ及び後身頃収納部４ｂの内部との摩擦等により傷むのを防止するため、ここでは、内袋１５に収納された状態で前身頃収納部４ａ及び後身頃収納部４ｂにそれぞれ収納される。この内袋１５は、前身頃用と後身頃用とがあり、それぞれ平面形状が前身頃浮力材３ａ及び後身頃浮力材３ｂと略同一の平面形状に形成されており、複数枚の浮力材３を収納できる厚さを有している。この内袋１５の材質としては、ポリアミド系樹脂やポリエステル樹脂等の軽量な布地を用いると好適である。
【００１９】
また、防護材５は、銃弾や刃物等の貫通を防止して着用者を防護するために外装材２の内部に収納される部材であって、高強度及び高弾性率の繊維を積層してなる材料、或いは高強度の金属や合成樹脂等の材料であって、防弾衣として公知の各種の材料により形成される。具体的には、このような高強度及び高弾性率の繊維を積層してなる材料としては、パラ型アラミド繊維や超高分子量ポリエチレン繊維等が用いられる。また、高強度の金属としては、例えばチタン合金等が用いられる。そして、このような前身頃防護材５ａ及び後身頃防護材５ｂの形状としては、それぞれ前身頃浮力材３ａ及び後身頃浮力材３ｂと略同一形状に形成されたものを用いる。これは、防護材５を浮力材３と共に前身頃収納部４ａ及び後身頃収納部４ｂにそれぞれ好適に収納することができ、なおかつ前身頃収納部４ａ又は後身頃収納部４ｂの内部において位置がずれることがないようにするためである。したがって、前身頃防護材５ａ及び後身頃防護材５ｂは、前身頃浮力材３ａ及び後身頃浮力材３ｂと同様に、それぞれ前身頃収納部４ａ又は後身頃収納部４ｂの平面形状と略同一の平面形状であって、それより一回り小さい大きさに形成すると好適である。
【００２０】
また、本実施形態に係る救命胴衣１は、防護材５を収納したことによる重量増加や、重量物を含む装備を後述する装備取付部１６に取り付けたことによる重量増加に伴って生じる、浮力材３による浮力の不足を補うとともに、水深の深い所でも十分な浮力を確保できるようにするための浮力袋１７を備えている。図６は、本実施形態に係る救命胴衣１の浮力袋１７の全体構成を示す正面図であり、図７は、この浮力袋１７の膨張装置１８の周辺の構成を示す拡大図であり、図８は、本実施形態に係る救命胴衣１の後身頃部７に設けられた浮力袋収納部１９の構成を示す背面図であり、図９は、この浮力袋収納部１９に浮力袋１７が収納された状態を示す救命胴衣１の背面図である。これらの図に示すように、本実施形態に係る救命胴衣１は、外装材２の一部に、膨張装置１８により膨張する浮力袋１７を取り付けるとともに、この浮力袋１７を収納し、浮力袋１７が膨張することにより開放されて浮力袋１７を放出する構造を備える浮力袋収納部１９を設けている。以下、この浮力袋１７及び浮力袋収納部１９について更に詳細に説明する。
【００２１】
図６に示すように、この浮力袋１７の浮力袋本体２０は、平面形状が略Ｕ字形の袋状に形成されており、後述する膨張装置１８等によって内部に気体が充填されることにより膨張して浮力を生じさせる。ここで、浮力袋本体２０の平面形状を略Ｕ字形としたのは、膨張時に、着用者がＵ字状に囲まれている中央開口部２１に頭部を挿入して首周り及び胸部を覆うように着用することを可能とするためである。この浮力袋本体２０の材質としては、弾力性、気密性及び防水性を有し、摩擦等に強い丈夫な素材を用いることとし、例えば、ウレタンコーティングを施したポリアミド系樹脂やポリエステル樹脂等が好適に用いられる。
【００２２】
膨張装置１８は、浮力袋１７の使用時に、浮力袋本体２０の内部に気体を充填させて膨張させるための装置であり、ここでは、着用者が浮力袋１７を着用する際に邪魔にならないようにするため、浮力袋本体２０の略Ｕ字形の一方の端部２２近傍の表面に取り付けている。この膨張装置１８の構成としては、ここでは、図７にも示すように、二酸化炭素等の気体を封入したガスボンベ２３と、このガスボンベ２３の吐出口と浮力袋本体２０の内部とを連通する図示しない連通管と、水中に沈んだことを検知してガスボンベ２３を自動的に開栓する動作を行う自動開栓装置２４と、この自動開栓装置２４が動作しなかった場合に着用者が手動でガスボンベ２３の開栓を行うための手動開栓装置２５とを有したものを用いている。この自動開栓装置２４としては、何らかのタイミングで動作する公知の各種の装置を用いることが可能であるが、水に濡れたことを検知して動作する装置、又は所定の水圧となったことを検知して動作する装置が好適に用いられる。ここで、自動開栓装置２４として、所定の水圧になったことを検知して動作する装置を使用する場合には、水深の深い所まで沈んだために浮力材３のみでは必要な浮力が確保できない場合にのみ浮力袋１７を膨張させる動作を行うことが可能となる。また、手動開栓装置２５としては、ここでは、着用者が引くための動作紐２６を有しており、この動作紐２６が引かれた際にガスボンベ２３の開栓を行う装置を用いる。また、本実施形態においては、雨水や飛沫等により誤って自動開栓装置２４が動作して浮力袋１７が膨張することを防止するため、自動開栓装置２４の上面及び前面を覆う防水性を有する防水カバー２７が設けられている。
【００２３】
呼気吹込み管２８は、膨張装置１８により浮力袋本体２０の内部に充填された気体の量が足りない場合や、膨張装置１８が故障等により動作しない場合等に、浮力袋本体２０を膨張させるために用いるものであって、着用者が呼気を吹き込むことにより浮力袋本体２０の内部に気体を充填するための管である。そのため、この呼気吹込み管２８の内部には、図示しないが、着用者が吹き込んだ呼気が逆流しないようにするための逆止弁が設けられている。また、ここでは、呼気吹込み管２８は、着用者が浮力袋１７を着用した状態で呼気を吹き込むことができるようにするため、浮力袋本体２０の略Ｕ字形の膨張装置１８が設けられているのと反対側の端部３４近傍の表面に取り付けている。
【００２４】
取付ベルト２９は、浮力袋本体２０を外装材２の浮力袋収納部１９に取り付けるためのベルトである。そこで、本実施形態においては、取付ベルト２９は、浮力袋本体２０の略Ｕ字形の中央部３０近傍に一定間隔で固定された２本のベルトであって、それぞれの先端部付近の一部に面ファスナー３１により断続可能な輪状部３２が形成されたベルトにより構成している。また、固定ベルト３３は、浮力袋１７の使用時に、膨張した浮力袋本体２０が着用者の首周りから外れないように固定するためのベルトである。そこで、本実施形態においては、浮力袋本体２０の略Ｕ字形の両側の端部２２、３４の近傍の表面に固定され、この浮力袋本体２０の略Ｕ字形の両側の端部２２、３４の近傍を相互に連結又は分離するためのバックル３５をその長さ方向中央部に備えたベルトにより構成している。
【００２５】
図８に示すように、浮力袋収納部１９は、外装材２の後身頃部７の表面に設けられた浮力袋１７の収納部であって、ここでは、浮力袋１７の取付ベルト２９を取り付けるための第２取付ベルト３６と、この第２取付ベルト３６に取り付けられた浮力袋１７を覆って収納するための収納カバー３７とを有して構成されている。ここで、この収納カバー３７の周縁部３８及びそれに対応する位置の外装材２の後身頃部７の表面には、面ファスナー３９が設けられており、収納カバー３７の周縁部３８を外装材２の後身頃部７の表面に対して着脱できるような構成としている。また、この浮力袋収納部１９の第２取付ベルト３６に対して、浮力袋１７の取付ベルト２９を取り付ける方法は、ここでは、取付ベルト２９の輪状部３２の一方を第２取付ベルト３６と外装材２の後身頃部７の表面との間に挿入し、輪状部３２を面ファスナー３９により連結することにより行う。
【００２６】
そして、この浮力袋収納部１９に対する浮力袋１７の収納は、図９に示すように、４つ折り等に折り畳んだ浮力袋１７を、収納カバー３７と外装材２の後身頃部７の表面との間に形成される浮力袋収納部１９の内部に収納し、面ファスナー３９により収納カバー３７の周縁部３８を外装材２の後身頃部７の表面に着接することにより行なう。したがって、膨張装置１８が動作して浮力袋１７が膨張した場合には、面ファスナー３９は外れて収納カバー３７が開かれ、膨張した浮力袋１７が浮力袋収納部１９から外に飛び出す構成となっている。また、本実施形態においては、このように浮力袋１７を浮力袋収納部１９に収納した際には、浮力袋１７の手動開栓装置２５の動作紐２６の先端部４０は、一方の肩紐部８の表面の前方部分に設けられた動作紐固定部４１に固定する。これは、緊急時に着用者が手動開栓装置２５を容易に動作させることができるようにするため、動作紐２６の先端部４１を、着用者の手の届く位置、ここでは、一方の肩紐部８の表面の前方部分に固定しておくためである。
【００２７】
また、図３に示すように、外装材２の表面の少なくとも一部には、重量物を含む装備を取り付けるための装備取付部１６が設けられている。本実施形態においては、この装備取付部１６は、外装材２の後身頃部７の表面、すなわち着用者の背面にあたる位置に設けられている。この装備取付部１６に取り付ける装備としては、海上や沿岸の保安・警備等の任務において使用する装備等が想定されており、例えば、無線機や武器等が該当する。ここでは、この装備取付部１６の構成は、面ファスナー４２のフック又はループのいずれか一方を所定の範囲に平面的に配置するとともに、その上に複数のスナップホック４３を所定の間隔で配列して構成している。そして、これらの面ファスナー４２及びスナップホック４３を用いて装備を取り付けることとしている。
【００２８】
更に、図２に示すように、外装材２の前身頃部６の表面の一方又は双方の側部１０には、着脱可能な補強材４４が取り付けられている。この補強材４４は、海上や沿岸の保安・警備等の任務を行う着用者が、ヘリコプターや船舶等からロープによる降下を行う際に、ロープとの摩擦により外装材２の表面が傷むことを防止するために設けられるものである。したがって、この補強材４４としては、例えばナイロン等の摩擦に強い丈夫な材質の布地等が用いられる。通常は、ロープによる降下時には、左の脇腹辺りにロープを抱えながら降下するため、本実施形態においては、外装材２の前身頃部６の表面の左側の側部１０に補強材４４を取り付けている。そして、この補強材４４は、面ファスナー等により外装材２の表面に対して着脱可能に取り付けられている。したがって、この補強材４４自体がロープとの摩擦により傷んだ場合にも容易に交換することができる。
【００２９】
【発明の効果】
以上説明したように、本発明の請求項１に係る救命胴衣によれば、外装材の内部の浮力材を収納する収納部に、前記浮力材と略同一形状に形成された防護材を収納可能としたことにより、防弾チョッキと救命胴衣を両方着用する必要がないので、着用者の動作を制限することがなく、本発明に係る救命胴衣のみを着用するだけで、水中に落下した際の着用者の安全を確保しつつ、銃撃や刃物による攻撃等から着用者を防護することができる。
【００３０】
本発明の請求項２に係る救命胴衣によれば、上述の効果に加えて、着用者の胸部を覆う前身頃部と背部を覆う後身頃部のそれぞれの収納部に防護材を収納可能としたことにより、銃撃や刃物による攻撃等が正面から行われた場合だけでなく、背面から行われた場合にも着用者を防護することができる。
【００３１】
本発明の請求項３に係る救命胴衣によれば、上述の効果に加えて、外装材の一部に、ガスボンベから吐出される気体により膨張する浮力袋を取り付けるとともに、この浮力袋を収納し、前記浮力袋が膨張することにより開放されて前記浮力袋を放出する構造を備える浮力袋収納部を設けたことにより、普段、船上や陸上にいるときには、浮力材の体積を小さく抑えることができるので、着用者の動作を容易にすることができる。そして、着用者が水中に落下した際には、浮力袋が膨張して浮力を増加させるので、収納部に防護材を収納したことによる重量増加や、重量物を含む装備を装備取付部に取り付けたことによる重量増加に伴う、浮力材による浮力の不足を補うことができるとともに、水深の深い所でも十分な浮力を確保することができる。
【００３２】
本発明の請求項４に係る救命胴衣によれば、上述の効果に加えて、外装材の表面の少なくとも一部に、重量物を含む装備を取り付けるための装備取付部を設けたことにより、これを用いて容易に無線機や武器等の装備を取り付けることが可能となる。
【００３３】
本発明の請求項５に係る救命胴衣によれば、上述の効果に加えて、外装材の前身頃部の側部の一方又は双方に着脱可能な補強材を取り付けたことにより、着用者がロープによる降下を行う際に、外装材がロープとの摩擦により傷むことを防止できるとともに、補強材自体が傷んだ場合にも容易に交換することができる。
【図面の簡単な説明】
【図１】本発明の実施形態に係る救命胴衣の縦断面を示す図である。
【図２】本発明の実施形態に係る救命胴衣を前身頃部の側から見た状態を示す正面図である。
【図３】本発明の実施形態に係る救命胴衣を後身頃部の側から見た状態を示す背面図である。
【図４】本発明の実施形態に係る救命胴衣の前身頃部の裏面を示す展開図である。
【図５】本発明の実施形態に係る救命胴衣の後身頃部の裏面を示す展開図である。
【図６】本発明の実施形態に係る救命胴衣の浮力袋の全体構成を示す正面図である。
【図７】本発明の実施形態に係る救命胴衣の浮力袋の膨張装置の周辺の構成を示す拡大図である。
【図８】本発明の実施形態に係る救命胴衣の後身頃部に設けられた浮力袋収納部の構成を示す背面図である。
【図９】本発明の実施形態に係る浮力袋収納部に浮力袋が収納された状態を示す救命胴衣の背面図である。
【符号の説明】
１　救命胴衣
２　外装材
３　浮力材
３ａ　前身頃浮力材
３ｂ　後身頃浮力材
４　収納部
４ａ　前身頃収納部
４ｂ　後身頃収納部
５　防護材
５ａ　前身頃防護材
５ｂ　後身頃防護材
６　前身頃部
７　後身頃部
８　肩紐部
１０　前身頃部又は後身頃部の側部
１２　表面材
１３　裏面材
１６　装備取付部
１７　浮力袋
１８　膨張装置
１９　浮力袋収納部
２０　浮力袋本体
２３　ガスボンベ
２４　自動開栓装置
２５　手動開栓装置
２６　動作紐
２７　防水カバー
２８　呼気吹込み管
２９　取付ベルト
３３　固定ベルト
３６　第２取付ベルト
３７　収納カバー
４１　動作紐固定部
４４　補強材
【図１】
2004042816.tif 000003
【図２】
2004042816.tif 000004
【図３】
2004042816.tif 000005
【図４】
2004042816.tif 000006
【図５】
2004042816.tif 000007
【図６】
2004042816.tif 000008
【図７】
2004042816.tif 000009
【図８】
2004042816.tif 000010
【図９】
2004042816.tif 000011